(57)【要約】【課題】  吊り掛けと基台の両用を持つ定位置構造を提供する。【解決手段】  基体１０と別の基体２０を含む。別の基体２０はそれに設けられている滑り板２３の両側及び案内溝２４を通じて、基体１０のＵ型滑り溝部１２両側及びガイドレール１３に沿って組み付けられる。別の基体２０に設けられている弾性アーム２５の歯部２５１と、基体１０に設けられているガイドレール１３の歯面１３１が互いに契合調整することにより、大きさの調整が可能な容置空間の基台を形成する。それによって基台の容置空間内には電子装置を置くことが可能である。また、その基台の容置空間は仕切り壁の吊り掛け位置に掛けられるようにすることも可能である。別の基体２０の支持板２１の少なくとも一つの嵌付部材２２１はちょうどその電子装置の一面に設けられている少なくとも一つの嵌付部材と一体に嵌め合わせることが可能である。【選択図】    図１
0003106537.tif 000002
【実用新案登録請求の範囲】
【請求項１】
吊り掛けと基台の両用を持つ定位置構造であって、
基体は、底部と直角に設置される隔板を有し、基体の底部の隔板と隣接する一側は外へ延伸して滑り溝部が設けられ、その滑り溝部の溝内中央に近い個所にはガイドレールが設けられ、ガイドレールの一側斜面には長さ方向に沿って歯面が設けられ、
別の基体は、底部と直角に設置される支持板を有し、支持板の基体に向かう裏面には最少一つの嵌付部材が設けられ、底部の基体の滑り溝に面する方向には外へ延伸して滑り板が設けられ、滑り板の底部中央に近い個所には案内溝が設けられ、案内溝の一側には弾性アームが設けられ、弾性アーム一側の滑り溝部のガイドレールの歯面に相対する個所には歯部が設けられ、
その別の基体は滑り板の両側及び案内溝を通じてその基体の滑り溝部両側及びそのガイドレールに沿って組み付けられ、かつ弾性アームの歯部とガイドレールの歯面が互いに契合調整することにより、大きさの調整が可能な容置空間の基台が形成され、基台の容置空間内には電子装置を置くことが可能となり、その基台の容置空間は仕切り壁の吊り掛け位置にすることが可能であり、別の基体の支持板の少なくとも一つの嵌付部材はその電子装置の一面に設けられている最少一つの嵌付部材と一体に嵌め合わせ可能であることを特徴とする吊り掛けと基台の両用を持つ定位置構造。
【請求項２】
別の基体の支持板の少なくとも一つの嵌付部材は、円弧状の排列に設置され、電子装置の一面の最少一つの別の嵌付部材は回し盤に設けられ、それら別の嵌付部材は回し盤の周縁に沿って設置され、電子装置とその支持板は一体に嵌め合わせられ、かつ角度を回し調整することが可能であることを特徴とする請求項１記載の吊り掛けと基台の両用を持つ定位置構造。
【請求項３】
別の基体の支持板の少なくとも一つの嵌付部材は回し盤に設けられ、それら嵌付部材は回し盤の周縁に沿って設置され、電子装置の一面の最少一つの別の嵌付部材は円弧状の排列に設置され、電子装置とその支持板は一体に嵌め合わせられ、かつ角度を回し調整することが可能であることを特徴とする請求項１記載の吊り掛けと基台の両用を持つ定位置構造。
【請求項４】
別の基体の支持板の少なくとも一つの嵌付部材は壁掛け孔に設置され、電子装置の一面の最少一つの別の嵌付部材は壁掛け孔とあい合わせられる壁掛けフックに設置され、電子装置とその支持板は一体に嵌め合わせられることを特徴とする請求項１記載の吊り掛けと基台の両用を持つ定位置構造。
【請求項５】
滑り溝部の両対応側の外にはそれぞれ外へ延伸板が延伸して設けられ、基体はより安定して支持面に置くことが可能であることを特徴とする請求項１記載の吊り掛けと基台の両用を持つ定位置構造。
【請求項６】
基体の隔板の両側と別の基体の支持板の両側対応方向にそれぞれ側板が設けられ、電子装置を基台の容置空間内に置いた場合、より安定した挟み持ち性を得ることが可能であることを特徴とする請求項１記載の吊り掛けと基台の両用を持つ定位置構造。
【考案の詳細な説明】
【技術分野】
【０００１】
本考案は、吊り掛けと基台の両用を持つ定位置構造に関し、特に無線ネットワーク装置に応用されるものに関する。
【背景技術】
【０００２】
現在、一般に市販されている無線ネットワーク装置、例えばハブ、スイッチ、モデム等の外形はすべて固定したケーシング構造であり、それら装置には通常アンテナが取り付けられ、そのアンテナは一般周知のもので信号の発信及び受信に使われる。そのために使用者は任意の無線ネットワーク装置を使用し、無線ネットワークの訪問点を通じて各無線ネットワーク装置間の信号受発信の伝送を実現することが可能で、使用者は随時随所無線ネットワーク装置を利用して外界と連絡を取り、最短時間内に最大の効果を獲得することが可能である。
【０００３】
また、一般無線ネットワーク装置の製造メーカは使用者の実際使用のニーズに合わすため、通常は違った固定構造に設計し、その装置とその固定構造を組合せ結合し、それによってその装置を卓上に置いて使用し、または事務所の壁に吊り掛けて使用し、使用者は随時随所無線ネットワーク装置を利用して外界と連絡を取ることが可能である。
【考案の開示】
【考案が解決しようとする課題】
【０００４】
しかしながら、現有の固定構造の設計法はそれらの製造に於いて面倒であり、かつ二組の型を設計しなければならず、その中の一組は卓上に置く基台の部品に関し、別の一組は事務所に吊り掛けて使う吊り掛け部品に関するもので、かつ一般の吊り掛け構造には脱落しやすい恐れがある。この外、各種型の開発価格はやや高く、相対的に製造コストも割高になるので、各製造業者は現状及びそれの欠点に対して改善を行おうとしている。
【０００５】
更に、考案者は現在の無線ネットワーク装置は市場に於いて盛んに発展し、及び使用者の実際のニーズに依り、その現状及び欠点に対して設計改善を行い、それの固定構造を無線ネットワーク装置と結合させて互動できるようにする外、それと同時に、更に卓上に置けるまたは事務所の壁に吊り掛けできる二重の用途があるようにして上記問題を解決しようとしており、これは各無線ネットワーク装置の製造メーカの販売業績を大きく助けるだけでなく、かつ多くの消費者に対しても一つの朗報であり、それゆえに、この多機能な研究開発及び実現は現在の業界の一刻も待てない重要な課題である。
【０００６】
上記に鑑み、もし無線ネットワーク装置を卓上に置いて使用し、または事務所の仕切り壁に吊り掛けて使用する場合、現在のやり方では二組の型を設計開発しなければならなく、ところが型の開発価格は相対して割り高いので製造コストも高くなり、かつ使用者の卓上で使用する及び吊り掛けて使用する両用の目的を満足することができない。
【０００７】
したがって本考案の目的は吊り掛けと基台の両用を持つ定位置構造を提供することにある。
【課題を解決するための手段】
【０００８】
上述の目的を達成するために本考案の請求項に記載の吊り掛けと基台の両用を持つ定位置構造は、固定性がよくて操作が便利だけでなく、かつ脱落防止の構造があるので使用者のニーズに符合している。その定位置構造は基体と別の基体を含む。その中の別の基体はそれに設けられている滑り板の両側及び案内溝を通じて、基体の滑り溝部両側及びガイドレールに沿って組み付けられる。別の基体に設けられている弾性アームの歯部と、基体に設けられているガイドレールの歯面が互いに契合調整することにより、大きさの調整が可能な容置空間の基台を形成する。それによって基台の容置空間内には電子装置を置くことが可能である。また、その基台の容置空間は仕切り壁の吊り掛け位置に掛けられるようにすることも可能である。別の基体の支持板の最少一つの嵌付部材はちょうどその電子装置の一面に設けられている最少一つの嵌付部材と一体に嵌め合わせることが可能である。
【考案を実施するための最良の形態】
【０００９】
以下、本考案の実施例を図面に基づいて説明する。
本考案の実施例は吊り掛けと基台の両用を持つ定位置構造に関するもので、図１に示すように、両用を備える定位置構造は基体１０を含み、基体１０は底部と直角に設置される隔板１１を有する。基体１０の底部の隔板１１と隣接する一側は外へ延伸してＵ型滑り溝部１２が設けられ、Ｕ型滑り溝部１２溝内の中央に近い個所にはガイドレール１３が設けられる。ガイドレール１３の一側斜面には複数の歯が設けられ、それの長さ方向に沿って歯面１３１が設置される。Ｕ型滑り溝部１２の両対応側の外にはそれぞれ外側に延伸板１４が設けられ、それによって基体１０の底部と支持面の全体接触面積は相対的に拡大され、そのために基体１０はより安定して支持面に置くことが可能である。
【００１０】
図１に示すように、両用を備える定位置構造は更に別の基体２０を含み、その別の基体２０には底部と直角に設置される支持板２１を有する（支持板２１の高さは隔板１１より高い）。支持板２１の基体１０に向かう裏面には最少一つの嵌付部材２２１が設けられる。また別の基体２０の底部の基体１０のＵ型滑り溝１２に面する方向には外へ延伸して滑り板２３が設けられる。滑り板２３の底部中央に近い個所には案内溝２４が設けられ、案内溝２４の一側には弾性アーム２５が設けられる。弾性アーム２５の一側のＵ型滑り溝部１２のガイドレール１３の歯面１３１に相対する個所には歯部２５１が設けられている。
【００１１】
図２に示すように、その別の基体２０は滑り板２３の両側及び案内溝２４を通じてその基体１０のＵ型滑り溝部１２両側及びそのガイドレール１３に沿って組み付けられる。弾性アーム２５の歯部２５１とガイドレール１３の歯面１３１が互いに契合調整することにより（使用者は明らかに段落調整の感覚を得ることができる）、大きさの調整が可能な容置空間の基台が形成される。それによって基台の容置空間内に電子装置３０（例えば、無線ネットワーク装置）を置くことが可能となる。このように、その電子装置３０はしっかりと卓上に置くことが可能で、基台を通じて電子装置３０が衝撃されても基台の延伸板１４によってやや大きな接触面が提供され、電子装置３０が転倒して壊れる機会を減らすことが可能である。
【００１２】
図３に示すように、別の基体２０と基体１０が組み付けられた後に形成される大きさの調整が可能な容置空間は、事務所の仕切り壁４０の吊り掛け位置にすることが可能である。かつその容置空間の大きさを調整するだけで違った仕切り壁４０の幅に適することが可能である。別の基体２０の支持板２１の最少一つの嵌付部材２２１はちょうどその電子装置３０の一面に設けられてある最少一つの嵌付部材３１１と一体に嵌め合わせ可能である。このようにその電子装置３０は基台を通じてしっかりと事務所の仕切り壁４０に吊り掛けられて使用可能であることが、吊り掛けと基台の両用の機能に合致すると云える。
【００１３】
図１、図３に示すように、本考案の第１実施例に於いて、別の基体２０の支持板２１の少なくとも一つの嵌付部材２２１は円弧状の排列に設置され、電子装置３０の一面の最少一つの別の嵌付部材３１１は回し盤３１に設けられ、それら別の嵌付部材３１１は回し盤３１の周縁に沿って設置される。これにより、電子装置３０とその支持板２１は一体に嵌め合わせられ、かつ角度の回し調整が可能であるが、本考案が実際に実施される場合はそれに局限されず、その他如何なる方式に設計することが可能で、電子装置３０と支持板２１が一体に嵌め合わせられるだけでよい。
【００１４】
図４に示すように、本考案の第２実施例に於いては、別の基体２０の支持板２１の少なくとも一つの嵌付部材２２１は回し盤２２に設けられ、それら嵌付部材２２１は回し盤２２の周縁に沿って設置される事も可能である。電子装置３０の一面の少なくとも一つの別の嵌付部材３１１は円弧状の排列に設置され、これにより、電子装置３０とその支持板２１は一体に嵌め合わせられ、かつ角度を回し調整することが可能である。
【００１５】
図５に示すように、本考案の第３実施例では、別の基体２０の支持板２１の少なくとも一つの嵌付部材２２１は壁掛け孔のように設置され、電子装置３０の一面の最少一つの別の嵌付部材３１１はその壁掛け孔とあい合わせられる壁掛けフックに設置可能であるが、本考案が実際に実施される場合はそれに局限されず、その他如何なる方式に設計することが可能で、電子装置３０と支持板２１が一体に嵌め合わせるだけでよい。
【００１６】
更に図１、図２に示すように、基体１０の隔板１１の両側と別の基体２０の支持板２１の両側対応方向にそれぞれ側板１１１、側板２１１が設けられ、それによって電子装置３０を基台の容置空間内に置いた場合はより安定した挟み持ち性を得ることが可能となる。
【００１７】
上記部材により、基体１０と別の基体２０の相互の連動した組み合わせを通ずれば、容置空間の大きさを調整することが可能な基台が形成され、基台を通じて電子装置３０はしっかりと卓上に置くことが可能となる。かつ別の基体２０と基体１０が組み付けられた後に形成される大きさの調整が可能な容置空間を事務所の仕切り壁４０の吊り掛け位置にすることも可能である。それと同時にその容置空間の大きさを調整することだけで違った仕切り壁４０の幅に適することも可能であり、電子装置３０は実際の需要によってその回し盤３１に於いて角度を回し調整し、信号の受発信の伝送を行い、外界との連絡の目的を実現する。
【００１８】
そのために、本考案の設計を定位置構造に吊り掛けと基台の両用目的を実現し、それと同時に本考案は構造が簡単である特徴がある外、その全体的設計は相互の連動を提供し、固定性がよくて脱落を防止する構造であり、かつ操作が便利であるので卓上または事務所内の違った個所（例えば事務所の仕切り壁４０）での吊り掛けの二重用途に適用する。伝統的製品の欠点を効果的に解決するので、本考案はまさに人間性に合致した設計と云える。
【００１９】
以上に述べたのは本考案の最適具体的実施例であるが、本考案の構造特徴はそれに局限されず、およそその技術を知っているすべての技術者が本考案の領域内に於いて簡単に考え付く変化または改修は、本案の登録請求の範囲内に含まれるものとする。
【図面の簡単な説明】
【００２０】
【図１】本考案の第１実施例による吊り掛けと基台の両用を持つ定位置構造を示す分解図である。
【図２】本考案の第１実施例による吊り掛けと基台の両用を持つ定位置構造の基台を卓上に使用した状態を示す図である。
【図３】本考案の第１実施例による吊り掛けと基台の両用を持つ定位置構造の基台を吊り掛けに使用した状態を示す図である。
【図４】本考案の第２実施例による吊り掛けと基台の両用を持つ定位置構造の嵌付部材、別の嵌付部材を示す図である。
【図５】本考案の第３実施例による吊り掛けと基台の両用を持つ定位置構造の嵌付部材、別の嵌付部材を示す図である。
【符号の説明】
【００２１】
１０  基体、１１  隔板、１２  Ｕ型滑り溝部、１３  ガイドレール、１４  延伸板、２０  別の基体、２１  支持板、２３  滑り板、２４  案内溝、２５  弾性アーム、１１１  側板、１３１  歯面、２１１  側板、２２１  嵌付部材、２５１  歯部
【図１】
0003106537.tif 000003
【図２】
0003106537.tif 000004
【図３】
0003106537.tif 000005
【図４】
0003106537.tif 000006
【図５】
0003106537.tif 000007